(57)【要約】【課題】適切な時期に操作ボタンを交換可能な内視鏡装置を得る。【解決手段】マイコン２５４は、各操作ボタン２５５が今までに押圧された回数を積算操作回数として予め記録している。内視鏡２００が使用されているとき、マイコン２５４はＡ／Ｄ端子を介して操作ボタン２５５からの電気信号を測定する。そして、電気信号が所定値以上になったとき、記録済みの積算操作回数に１を加える。これを操作ボタン毎に反復実行することにより、積算操作回数が積算される。積算操作回数が多い操作ボタン２５５に割り当てている機能と積算操作回数が少ない操作ボタン２５５に割り当てている機能とを入れ替える。これにより、第１の操作ボタン２５５ａには輪郭強調機能が、第２の操作ボタン２５５ｂにはズーム機能が、第３の操作ボタン２５５ｃにはフリーズ機能が、第４の操作ボタン２５５ｄにはキャプチャ機能が割り当てられる。【選択図】図１
2014113413.tif 000002
【特許請求の範囲】
【請求項１】
電気信号を送信する複数の操作部と、
前記電気信号を受信して、前記操作部が操作された回数である積算操作回数を算出する積算部と、
前記積算操作回数に基づいて、前記操作部に割り当てる機能を前記操作部どうしの間で変更する制御部とを備える内視鏡装置。
【請求項２】
前記制御部は、前記積算操作回数が規定回数を超えた場合に、前記積算操作回数が多い操作部に割り当てている機能と前記積算操作回数が少ない操作部に割り当てている機能とを入れ替える請求項１に記載の内視鏡装置。
【請求項３】
前記制御部は、前記積算操作回数が規定回数を超えた場合に、全ての操作部の積算操作回数の合計に対する特定の操作部の積算回数の割合である使用率を求め、前記使用率が高い操作部に割り当てている機能と前記使用率が低い操作部に割り当てている機能とを入れ替える請求項１に記載の内視鏡装置。
【請求項４】
前記操作部の状態を報知する報知部をさらに備え、前記操作部に割り当てる機能が変更された場合に、前記操作部に新たに割り当てられた機能を報知する請求項１から３のいずれかに記載の内視鏡装置。
【請求項５】
観察対象物を撮像して画像信号を送信する内視鏡と、前記内視鏡から画像信号を受信して処理する内視鏡プロセッサとを備え、
前記内視鏡は前記操作部と前記積算部とを備え、前記内視鏡プロセッサは前記制御部を備え、
前記制御部は、前記内視鏡が前記内視鏡プロセッサに接続された時に前記積算操作回数が所定の条件に合致している場合に、前記操作部に割り当てる機能を変更する請求項１から４のいずれかに記載の内視鏡装置。
【請求項６】
観察対象物を撮像して画像信号を送信する内視鏡と、前記内視鏡から画像信号を受信して処理する内視鏡プロセッサとを備え、
前記内視鏡は前記操作部と前記積算部とを備え、前記内視鏡プロセッサは前記制御部を備え、
前記制御部は、前記内視鏡が前記内視鏡プロセッサに接続されている期間に前記積算操作回数が所定の条件に合致した場合に、前記操作部に割り当てる機能を変更する請求項１から４のいずれかに記載の内視鏡装置。
【請求項７】
前記操作部の状態を報知する報知部をさらに備え、前記操作部の前記積算操作回数が耐用回数を超えた場合に、前記耐用回数を超えた旨を報知する請求項１から６のいずれかに記載の内視鏡装置。
【請求項８】
請求項５又は６に記載の内視鏡装置と、前記内視鏡プロセッサにネットワークを介して接続される内視鏡管理装置とを備え、
前記内視鏡管理装置は、前記内視鏡プロセッサを介して前記内視鏡から前記積算操作回数を受信し、前記積算操作回数が耐用回数を超えたときに警告を行う警告部を有する内視鏡管理システム。
【発明の詳細な説明】
【技術分野】
【０００１】
本発明は、複数の操作釦を備える内視鏡を備える内視鏡装置及び内視鏡システムに関する。
【背景技術】
【０００２】
人体に挿入されて体内の画像を撮像する内視鏡と、内視鏡から画像を受信して表示する内視鏡プロセッサとが知られている。このような内視鏡は先端の湾曲可能に構成されるが、湾曲によって内視鏡が損耗する。そこで内視鏡の損耗状態を把握するため、内視鏡と内視鏡プロセッサとの接続回数を積算して、積算回数が基準値を超えたときに内視鏡が損耗したと予想してユーザに警告し、内視鏡のメンテナンスを促す構成が知られている（特許文献１）。また、内視鏡先端の湾曲回数を積算して、湾曲回数が基準値を超えたときに内視鏡が損耗したと予想してユーザに警告する構成（特許文献２）、及び内視鏡又は光源装置の累積使用回数又は累積使用時間に基づいて内視鏡又は光源装置の使用状態をユーザに報知する構成（特許文献３）が知られている。
【先行技術文献】
【特許文献】
【０００３】
【特許文献１】特許第３３４５１８０号公報
【特許文献２】特開２０１１−１２０８４３号公報
【特許文献３】特開２０１２−１４７９５９号公報
【発明の概要】
【発明が解決しようとする課題】
【０００４】
内視鏡は、使用時においてユーザが把持する把持部を備え、把持部は、内視鏡を操作するためにユーザが操作する複数の操作ボタンを備える。操作ボタンは、動画を一時停止させたり、静止画像を記録したりする度に押圧されて摩耗するため、交換されなければならない。しかし従来の構成は操作ボタンの耐久性（又は摩耗度合）を考慮していないため、交換前に操作ボタンが壊れて使用不能になるおそれや、使用可能な操作ボタンを交換してしまうおそれがある。
【０００５】
本発明はこれらの問題を鑑みてなされたものであり、適切な時期に操作ボタンを交換可能な内視鏡装置を得ることを目的とする。
【課題を解決するための手段】
【０００６】
本願第１の発明による内視鏡装置は、電気信号を送信する複数の操作部と、電気信号を受信して、操作部が操作された回数である積算操作回数を算出する積算部と、積算操作回数に基づいて、操作部に割り当てる機能を操作部どうしの間で変更する制御部とを備えることを特徴とする。
【０００７】
制御部は、積算操作回数が規定回数を超えた場合に、積算操作回数が多い操作部に割り当てている機能と積算操作回数が少ない操作部に割り当てている機能とを入れ替えることが好ましい。
【０００８】
制御部は、積算操作回数が規定回数を超えた場合に、全ての操作部の積算操作回数の合計に対する特定の操作部の積算回数の割合である使用率を求め、使用率が高い操作部に割り当てている機能と使用率が低い操作部に割り当てている機能とを入れ替えてもよい。
【０００９】
操作部の状態を報知する報知部をさらに備え、操作部に割り当てる機能が変更された場合に、操作部に新たに割り当てられた機能を報知することが好ましい。
【００１０】
観察対象物を撮像して画像信号を送信する内視鏡と、内視鏡から画像信号を受信して処理する内視鏡プロセッサとを備え、内視鏡は操作部と積算部とを備え、内視鏡プロセッサは制御部を備え、制御部は、内視鏡が内視鏡プロセッサに接続された時に積算操作回数が所定の条件に合致している場合に、操作部に割り当てる機能を変更することが好ましい。
【００１１】
観察対象物を撮像して画像信号を送信する内視鏡と、内視鏡から画像信号を受信して処理する内視鏡プロセッサとを備え、内視鏡は操作部と積算部とを備え、内視鏡プロセッサは制御部を備え、制御部は、内視鏡が内視鏡プロセッサに接続されている期間に積算操作回数が所定の条件に合致した場合に、操作部に割り当てる機能を変更してもよい。
【００１２】
操作部の状態を報知する報知部をさらに備え、操作部の積算操作回数が耐用回数を超えた場合に、耐用回数を超えた旨を報知することが好ましい。
【００１３】
本願第２の発明による内視鏡管理システムは、前記内視鏡装置と、内視鏡プロセッサにネットワークを介して接続される内視鏡管理装置とを備え、内視鏡管理装置は、内視鏡プロセッサを介して内視鏡から積算操作回数を受信し、積算操作回数が耐用回数を超えたときに警告を行う警告部を有することを特徴とする。
【発明の効果】
【００１４】
本発明によれば、適切な時期に操作ボタンを交換可能な内視鏡装置を得る。
【図面の簡単な説明】
【００１５】
【図１】内視鏡を概略的に示したブロック図である。
【図２】積算処理を示したフローチャートである。
【図３】第１のメイン処理を示したフローチャートである。
【図４】第１の機能変更処理を示したフローチャートである。
【図５】プロセッサモニタを示した図である。
【図６】プロセッサ報知処理を示したフローチャートである。
【図７】プロセッサモニタを示した図である。
【図８】システム警告処理を示したフローチャートである。
【図９】管理モニタを示した図である。
【図１０】第２のメイン処理を示したフローチャートである。
【図１１】第２の機能変更処理を示したフローチャートである。
【発明を実施するための形態】
【００１６】
以下、本発明における内視鏡管理システム１００について添付図面を参照して説明する。まず、図１を用いて内視鏡管理システム１００の構成について説明する。
【００１７】
内視鏡管理システム１００は、内視鏡装置を成す内視鏡２００及び内視鏡プロセッサ３００、並びに内視鏡管理装置である内視鏡管理サーバ４００を主に備える。
【００１８】
内視鏡２００は、湾曲自在であって、観察対象、例えば人体の内部に挿入される挿入部２１０と、使用者が把持する把持部２５１と、そして接続管２５２を介して把持部２５１と内視鏡プロセッサ３００とを接続するコネクタ２５３とから主に構成される。
【００１９】
挿入部２１０の先端には図示しない撮像素子が格納され、観察対象を撮像して画像信号を内視鏡プロセッサ３００に送信する。
【００２０】
把持部２５１は、操作部を成す複数の操作ボタン２５５を備える。操作ボタン２５５は、第１から第４の操作ボタン２５５ａ−ｄから成り、それぞれに異なる機能が割り当てられる。操作ボタン２５５は押し下げ式のモーメンタリスイッチであって、ユーザが操作ボタン２５５を押圧すると、導電性のケーブル２５６を介して電気信号がコネクタ２５３に送信される。
【００２１】
コネクタ２５３の内部には、積算部を成すマイコン２５４が格納され、操作ボタン２５５から延びるケーブル２５６がマイコン２５４に接続される。マイコン２５４は、操作ボタン２５５からの電気信号を検出して、操作された操作ボタン２５５に応じた操作信号を内視鏡プロセッサに送信する。また、マイコン２５４は、操作ボタン毎に操作された回数を積算する。積算された値は、積算操作回数と呼ばれる。積算操作回数は内視鏡プロセッサ３００に適宜送信される。積算及び送信の詳細については後述される。
【００２２】
内視鏡プロセッサ３００は制御部を成し、プロセッサモニタ３０１を備える。プロセッサモニタ３０１は、報知部を成し、内視鏡２００から受信した画像信号を動画として表示する。
【００２３】
内視鏡プロセッサ３００は、マイコン２５４から操作信号を受信して、操作ボタン２５５に割り当てられた機能を実行する。たとえば、第１の操作ボタン２５５ａが押し下げられたとき、モニタに表示されている動画を停止し、押し下げられたときに表示されていた画像を静止画としてプロセッサモニタ３０１に表示させる。この機能をフリーズ機能と呼ぶ。第２の操作ボタン２５５ｂが押し下げられたとき、押し下げられたときに表示されていた画像を静止画として記録する。この機能をキャプチャ機能と呼ぶ。第３の操作ボタン２５５ｃが押し下げられたとき、動画に含まれる観察対象物の輪郭を強調してプロセッサモニタ３０１に表示させる。この機能を輪郭強調機能と呼ぶ。第４の操作ボタン２５５ｄが押し下げられたとき、動画の一部を拡大してプロセッサモニタ３０１に表示させる。この機能をズーム機能と呼ぶ。
【００２４】
また、内視鏡プロセッサ３００は、コネクタ２５３を介してマイコン２５４に接続されて、内視鏡２００に関する情報をマイコン２５４から取得する。そして後述するプロセッサ報知処理を実行し、操作ボタン２５５の積算操作回数が耐用回数を超えたとき、プロセッサモニタ３０１に警告を表示する。この耐用回数は、操作ボタン２５５の種類に応じて決定される値であって、操作ボタン２５５の耐用試験、経験値などによって決定され、内視鏡２００に記録される。耐用回数を内視鏡２００に記録することにより、その内視鏡２００に適した耐用回数を設定することができる。これにより、様々な種類の内視鏡２００を内視鏡プロセッサ３００に取り付けても、本実施形態による機能を容易に発揮可能である。
【００２５】
内視鏡管理サーバ４００は、内視鏡２００が撮像した画像を管理するファイリングシステムを構成する。複数の内視鏡プロセッサ３００がネットワーク５００を介してファイリングシステムに接続される。内視鏡管理サーバ４００は管理モニタ４０１を備え、ネットワーク５００を介して内視鏡プロセッサ３００と接続されて、ネットワーク５００を介して内視鏡プロセッサ３００から内視鏡２００に関する情報を取得し、記録する。本実施形態において、内視鏡２００に関する情報とは積算操作回数である。内視鏡管理サーバ４００は、警告部を成し、後述するシステム警告処理を実行する。システム警告処理は、積算操作回数が耐用回数を超えたとき、管理モニタ４０１に警告を表示する処理である。
【００２６】
マイコン２５４が積算操作回数を算出する処理について説明する。マイコン２５４は、各操作ボタン２５５が今までに押圧された回数を積算操作回数として予め記録している。内視鏡２００が使用されているとき、マイコン２５４はＡ／Ｄ端子を介して操作ボタン２５５からの電気信号を測定する。そして、電気信号が所定値以上になったとき、記録済みの積算操作回数に１を加える。これを操作ボタン毎に反復実行することにより、積算操作回数が積算される。
【００２７】
次に図２を用いて積算処理について説明する。積算処理は、内視鏡２００が使用されているときにマイコン２５４が反復して実行する処理であって、積算操作回数を積算するために用いられる。
【００２８】
始めのステップＳ２１では、操作ボタン２５５が押し下げられたか否かを判断する。押し下げられたとき、処理はステップＳ２２に進み、押し下げられないとき、処理は再度ステップＳ２１を実行する。
【００２９】
ステップＳ２２では、マイコン２５４が記録している積算操作回数に１を加え、その数を新たな積算操作回数として記録する。
【００３０】
次のステップＳ２３では、操作された操作ボタン２５５に応じた操作信号を内視鏡得プロセッサに送信する。
【００３１】
そして、次のステップＳ２４では、新たに算出した積算操作回数を内視鏡プロセッサ３００に送信する。そして、再度ステップＳ２１に戻る。
【００３２】
積算処理によって、操作ボタン毎に積算操作回数を算出することができる。
【００３３】
次に、図３を用いて第１のメイン処理について説明する。第１のメイン処理は、内視鏡プロセッサ３００が電源を投入された後に反復して実行する処理である。
【００３４】
始めのステップＳ３１では、内視鏡２００が内視鏡プロセッサ３００に接続されたか否かを判断する。接続された場合、処理はステップＳ３２に進み、接続されていない場合、処理は終了する。
【００３５】
ステップＳ３２では、内視鏡２００から積算操作回数を受信する。
【００３６】
ステップＳ３３では、後述する第１の機能変更処理、プロセッサ報知処理、及びシステム警告処理を実行する。第１の機能変更処理を実行することにより、操作ボタン２５５に割り当てられている機能が変更され、システム警告処理を実行することにより、管理モニタ４０１に積算操作回数が耐用回数を超えた旨の警告が表示される。そして処理を終了する。
【００３７】
次に、図４及び５を用いて第１の機能変更処理について説明する。第１の機能変更処理は、第１のメイン処理のステップＳ３３において実行される処理であって、積算操作回数が多い操作ボタン２５５に割り当てている機能と積算操作回数が少ない操作ボタン２５５に割り当てている機能とを入れ替える処理である。以下、第１の操作ボタン２５５ａにはフリーズ機能が、第２の操作ボタン２５５ｂにはキャプチャ機能が、第３の操作ボタン２５５ｃには輪郭強調機能が、第４の操作ボタン２５５ｄにはズーム機能が割り当てられているとして説明する。
【００３８】
始めのステップＳ４１では、第１から第４の操作ボタン２５５ａ−ｄの積算操作回数を取得する。ここで、第１の操作ボタン２５５ａの積算操作回数は７０００回、第２の操作ボタン２５５ｂの積算操作回数は６０００回、第３の操作ボタン２５５ｃの積算操作回数は５００回、第４の操作ボタン２５５ｄの積算操作回数は１０００回であるとする。
【００３９】
次のステップＳ４２では、第１から第４の操作ボタン２５５ａ−ｄの積算操作回数が全て耐用回数以上か否かを判断する。耐用回数未満である場合、処理はステップＳ４３に進み、耐用回数以上である場合、処理は終了する。耐用回数以上である場合に処理が終了する理由は、この場合の処理を後述するシステム警告処理に任せているからである。後述するシステム警告処理は、耐用回数以上である旨の警告をユーザに通知して操作ボタン２５５の交換を促す。耐用回数を超えた操作ボタン２５５はこれ以上使用すべきでなく交換すべきだからである。本実施形態では、耐用回数を１００００回とする。よって、処理はステップＳ４３に進む。
【００４０】
ステップＳ４３では、操作ボタン２５５に割り当てられている機能を変更する。ここでは、積算操作回数が多い操作ボタン２５５に割り当てている機能と積算操作回数が少ない操作ボタン２５５に割り当てている機能とを入れ替える。すなわち、最も積算操作回数が多い第１の操作ボタン２５５ａに割り当てられているフリーズ機能を、最も積算操作回数が少ない第３の操作ボタン２５５ｃに割り当て、２番目に積算操作回数が多い第２の操作ボタン２５５ｂに割り当てられているキャプチャ機能を、２番目に積算操作回数が少ない第４の操作ボタン２５５ｄに割り当て、３番目に積算操作回数が多い第４の操作ボタン２５５ｄに割り当てられているズーム機能を、３番目に積算操作回数が少ない第２の操作ボタン２５５ｂに割り当て、最も積算操作回数が少ない第３の操作ボタン２５５ｃに割り当てられている輪郭強調機能を、最も積算操作回数が多い第１の操作ボタン２５５ａに割り当てる。これにより、第１の操作ボタン２５５ａには輪郭強調機能が、第２の操作ボタン２５５ｂにはズーム機能が、第３の操作ボタン２５５ｃにはフリーズ機能が、第４の操作ボタン２５５ｄにはキャプチャ機能が割り当てられる。
【００４１】
ステップＳ４４では、各操作ボタン２５５に新しく割り当てられた機能をプロセッサモニタ３０１に表示させる。図５を参照すると、各操作ボタン２５５の名称と機能とが対応づけられて領域３０２に表示されている。これにより、ユーザは操作ボタン２５５に割り当てられている機能が変更されたことを知ると共に、操作ボタン２５５と機能とを参照して確認しながら内視鏡２００を使用することができる。そして処理が終了する。
【００４２】
次に図６及び７を用いてプロセッサ報知処理について説明する。プロセッサ報知処理は、内視鏡２００が使用されているときに内視鏡プロセッサ３００が反復して実行する処理であって、積算操作回数が耐用回数を超えたとき、プロセッサモニタ３０１に警告を表示する処理である。ステップＳ６１からＳ６４は、所定時間間隔で周期的に反復実行される。
【００４３】
始めのステップＳ６１では、内視鏡２００が内視鏡プロセッサ３００に接続されたか否かを判断する。接続された場合、処理はステップＳ６２に進み、接続されていない場合、処理は終了する。
【００４４】
次にステップＳ６２では、内視鏡２００から積算操作回数を受信する。
【００４５】
ステップＳ６３では、積算操作回数が耐用回数以上であるか否かを判断する。耐用回数未満である場合、処理は終了し、耐用回数以上である場合、処理はステップＳ６４に進む。
【００４６】
ステップＳ６４では、操作ボタン２５５の積算操作回数が耐用回数を超えた旨の警告をプロセッサモニタ３０１に表示させる。図７は、警告を表示したプロセッサモニタ３０１を示したものである。領域３０３又は領域３０４が警告を表示する。内視鏡２００が撮像した画像の上に領域３０３が設けられ、内視鏡２００が撮像した画像の外に領域３０４が設けられる。警告は、例えば「接続されている内視鏡２００の操作ボタンｎは、押し下げ回数が１００００回を超えました。メンテナンスを実施してください。」と表示される。ここで「操作ボタンｎ」は、具体的な操作ボタン２５５の名称である。
【００４７】
次に図８を用いてシステム警告処理について説明する。システム警告処理は、内視鏡管理サーバ４００により随時実行される処理であって、積算操作回数が耐用回数を超えたとき、管理モニタ４０１に警告を表示する。内視鏡管理システム１００によって管理される全ての内視鏡２００についてステップＳ８１からＳ８３が実行される。
【００４８】
始めのステップＳ８１では、積算操作回数が記憶されているかを確認する。次のステップＳ８２では、積算操作回数が耐用回数以上であるか否かを判断する。耐用回数未満である場合、処理は終了し、耐用回数以上である場合、処理はステップＳ８３に進む。
【００４９】
ステップＳ８３では、操作ボタン２５５の積算操作回数が耐用回数を超えた旨の警告を管理モニタ４０１に表示させる。図９に示すように、管理モニタ４０１は警告を特定の内視鏡２００と対応づけて表示する。図９を参照すると、「ＥＣ３８９０Ｌｉ」は内視鏡２００の種類を示し、「０１０００１」及び「０１０００２」は内視鏡２００の製造番号を示し、「Ｎｏ．１」及び「Ｎｏ．３」は操作ボタン２５５の番号を示す。これを参照すれば、ユーザは耐用回数を超えて使用されている操作ボタン２５５を特定できる。
【００５０】
本実施形態によれば、操作ボタン２５５が押圧された回数を積算するため、操作ボタン２５５の使用状況を精度良く知ることができる。そして精度の高い情報を用いて操作ボタン２５５の維持、補修時期を認知、又は推定することができる。また、酷使されている操作ボタン２５５の機能を、酷使されていない操作ボタン２５５に振り返ることができるため、操作ボタン２５５の維持、補修時期を延ばすことができる。これにより、内視鏡２００の製品寿命、維持補修時期を延ばすことができる。
【００５１】
次に、第２の実施形態による内視鏡システムについて図１０及び１１を用いて説明する。第１の実施形態と同様の構成については同じ符号を付して説明を省略する。本実施形態は、内視鏡２００が使用されているときに内視鏡プロセッサ３００が反復して積算操作回数を検査する点、及び操作ボタン２５５の使用率に基づいて操作ボタン２５５の機能を変更する点において第１の実施形態と異なる。
【００５２】
図１０を用いて第２のメイン処理について説明する。第２のメイン処理は、内視鏡２００が使用されているときに内視鏡プロセッサ３００が反復して実行する処理である。
【００５３】
始めのステップＳ１０１では、操作信号を受信したか否かを判断する。受信した場合、処理はステップＳ１０２に進み、受信しない場合、処理は終了する。
【００５４】
ステップＳ１０２では、受信した操作信号に基づいて内視鏡２００を動作させると共に内視鏡プロセッサ３００も動作する。
【００５５】
ステップＳ１０３では、内視鏡２００から積算操作回数を受信する。
【００５６】
ステップＳ１０４では、後述する第２の機能変更処理、並びにプロセッサ報知処理及びシステム警告処理を実行する。プロセッサ報知処理及びシステム警告処理に関しては既に説明したため、説明を省略する。
【００５７】
次に、図１０及び１１を用いて第２の機能変更処理について説明する。第２の機能変更処理は、第２のメイン処理のステップＳ１０４において実行される処理であって、使用率が高い操作ボタン２５５に割り当てている機能と使用率が低い操作ボタン２５５に割り当てている機能とを入れ替える処理である。使用率とは、全ての操作ボタン２５５の積算操作回数の合計に対する特定の操作ボタン２５５の積算回数の割合、すなわち特定の操作ボタン２５５の積算回数を全ての操作ボタン２５５の積算操作回数の合計で除した値である。以下、第１の操作ボタン２５５ａにはフリーズ機能が、第２の操作ボタン２５５ｂにはキャプチャ機能が、第３の操作ボタン２５５ｃには輪郭強調機能が、第４の操作ボタン２５５ｄにはズーム機能が割り当てられているとして説明する。
【００５８】
始めのステップＳ１１１では、第１から第４の操作ボタン２５５ａ−ｄの積算操作回数を取得し、これに基づいて使用率を算出する。ここで、第１の操作ボタン２５５ａの積算操作回数は６０００回、第２の操作ボタン２５５ｂの積算操作回数は２０００回、第３の操作ボタン２５５ｃの積算操作回数は１０００回、第４の操作ボタン２５５ｄの積算操作回数は１０００回であるとすると、第１の操作ボタン２５５ａの使用率は６０％、第２の操作ボタン２５５ｂの使用率は２０％、第３の操作ボタン２５５ｃの使用率は１０％、第４の操作ボタン２５５ｄの使用率は１０％である。
【００５９】
次のステップＳ１１２では、使用率が５０％を超える操作ボタン２５５が存在するか否かを判断する。存在する場合、処理はステップＳ１１３に進み、存在しない場合、処理は終了する。
【００６０】
ステップＳ１１３では、操作ボタン２５５に割り当てられている機能を変更する。ここでは、使用率が高い操作ボタン２５５に割り当てている機能と使用率が低い操作ボタン２５５に割り当てている機能とを入れ替える。すなわち、最も使用率が高い第１の操作ボタン２５５ａに割り当てられているフリーズ機能を、最も使用率が低い第３の操作ボタン２５５ｃに割り当て、２番目に使用率が高い第２の操作ボタン２５５ｂに割り当てられているキャプチャ機能を、２番目に使用率が低い第４の操作ボタン２５５ｄに割り当てる。ここで、第３の操作ボタン２５５ｃの使用率と第４の操作ボタン２５５ｄの使用率とは同じであるため、操作ボタン２５５の名称に使用されている序数の昇順を使用率の昇順とする。そして、３番目に使用率が高い第３の操作ボタン２５５ｃに割り当てられている輪郭強調機能を、３番目に使用率が低い第２の操作ボタン２５５ｂに割り当て、最も使用率が低い第４の操作ボタン２５５ｄに割り当てられているズーム機能を、最も使用率が高い第１の操作ボタン２５５ａに割り当てる。これにより、第１の操作ボタン２５５ａにはズーム機能が、第２の操作ボタン２５５ｂには輪郭強調機能が、第３の操作ボタン２５５ｃにはフリーズ機能が、第４の操作ボタン２５５ｄにはキャプチャ機能が割り当てられる。
【００６１】
ステップＳ１１４では、各操作ボタン２５５に新しく割り当てられた機能をプロセッサモニタ３０１に表示させる。図５を参照すると、各操作ボタン２５５の名称と機能とが対応づけられて領域３０２に表示されている。これにより、ユーザは操作ボタン２５５に割り当てられている機能が変更されたことを知ると共に、操作ボタン２５５と機能とを参照して確認しながら内視鏡２００を使用することができる。そして処理が終了する。
【００６２】
本実施形態によれば、第１の実施形態と同様の効果を得る。また、使用率に基づいて操作ボタン２５５の機能を変更することにより、例えば使用率が５０％を超えるような使用率が高い操作ボタン２５５についてのみ機能を変更することができるとともに、不必要に機能を変更してしまうことを防ぐ。
【００６３】
なお、操作ボタン２５５はモーメンタリスイッチでなく、オルタネートスイッチであってもよい。
【００６４】
また、操作ボタン２５５の数は４つに限定されない。
【００６５】
なお、内視鏡プロセッサ３００が耐用回数を記録しても良い。操作ボタン２５５の種類に応じた耐用回数を記録することにより、様々な種類の内視鏡２００を内視鏡プロセッサ３００に取り付けても、本実施形態による機能を容易に発揮可能である。
【００６６】
なお、耐用回数を１００００回として例示したが、操作ボタン２５５の性能に対応する他の数であっても良い。
【００６７】
第１の機能変更処理のステップＳ４３において、積算操作回数が多い操作ボタン２５５に割り当てている機能と積算操作回数が少ない操作ボタン２５５に割り当てている機能とを入れ替えるとして説明したが、積算操作回数が規定回数、例えば耐用回数の半分を超えた場合に機能を入れ替えても良い。
【００６８】
なお、第１の機能変更処理のステップＳ４３において、全ての操作ボタン２５５について機能を変更したが、最も積算操作回数が多い操作ボタン２５５と、最も積算操作回数が少ない操作ボタン２５５の機能とを入れ替えるだけでもよい。この場合、最も積算操作回数が多い第１の操作ボタン２５５ａと、最も積算操作回数が少ない第３の操作ボタン２５５ｃとの機能が入れ替えられる。これにより、第１の操作ボタン２５５ａには輪郭強調機能が、第３の操作ボタン２５５ｃにはフリーズ機能が割り当てられる。２番目に積算操作回数が多い第２の操作ボタン２５５ｂ及び３番目に積算操作回数が多い第４の操作ボタン２５５ｄに割り当てられている機能は変更されない。同様に、第２の機能変更処理においても、使用率が最も高い操作ボタン２５５の機能と最も低い操作ボタン２５５の機能とを入れ替えてもよい。
【００６９】
また、第１の機能変更処理のステップＳ４３を実行する前に、ユーザに機能の割り当てを変更するか否かをプロセッサモニタ３０１を用いて問うても良い。ユーザが希望する場合にのみ割り当てを変更することができる。第２の機能変更処理のステップＳ１１３についても同様である。
【００７０】
なお、第１の機能変更処理のステップＳ４４において、プロセッサモニタ３０１は、各操作ボタン２５５に新しく割り当てられた機能を表示するが、一定期間経過後に表示を消しても良い。第２の機能変更処理のステップＳ１１４についても同様である。
【００７１】
なお、ステップＳ６３及び図９において、警告のみを管理モニタ４０１に表示するように説明したが、図７に示すように、画像を管理モニタ４０１に表示した上で、領域３０３及び／又は領域３０４に警告を表示しても良い。
【００７２】
なお、第２の機能変更処理において、全ての操作ボタン２５５の使用率が所定の範囲内、例えば５％以内である場合、操作ボタン２５５の機能を変更しなくても良い。
【００７３】
また、内視鏡２００及び内視鏡プロセッサ３００内視鏡装置を成すとして説明したが、内視鏡２００が内視鏡装置を成しても良い。
【符号の説明】
【００７４】
１００  内視鏡管理システム
２００  内視鏡
２１０  挿入部
２５１  把持部
２５２  接続管
２５３  コネクタ
２５４  マイコン
２５５  操作ボタン
２５５ａ  第１の操作ボタン
２５５ｂ  第２の操作ボタン
２５５ｃ  第３の操作ボタン
２５５ｄ  第４の操作ボタン
２５６  ケーブル
３００  内視鏡プロセッサ
３０１  プロセッサモニタ
４００  内視鏡管理サーバ
４０１  管理モニタ
５００  ネットワーク
【図１】
2014113413.tif 000003
【図２】
2014113413.tif 000004
【図３】
2014113413.tif 000005
【図４】
2014113413.tif 000006
【図６】
2014113413.tif 000007
【図８】
2014113413.tif 000008
【図９】
2014113413.tif 000009
【図１０】
2014113413.tif 000010
【図１１】
2014113413.tif 000011
【図５】
2014113413.tif 000012
【図７】
2014113413.tif 000013